(57)【要約】      （修正有）【課題】簡略な構成で効率よく層状に撒き出した粒状体を撹拌することの可能な撹拌治具を提供する。【解決手段】作業面上に撒き出された粒状物を撹拌する撹拌治具１であって、離間して平行に配置される一対の車輪２，２と、一対の車輪２，２を連結するように配置されて車輪２の中心に固定される車輪軸３と、車輪軸３を軸支する支持部４１を備えるとともに、支持部４１よりも上方にハンドル４２を備えるフレーム４と、車輪軸３の周面に固定されて、車輪軸３とともに回転する軸部５１と撹拌翼５２を有する撹拌部５を備えてなり、撹拌翼５２が可撓性材料により成形されている。【選択図】図１
2016135954.tif 000002
【特許請求の範囲】
【請求項１】
作業面上に撒き出された粒状物を撹拌する撹拌治具であって、
離間して平行に配置される一対の車輪と、
該一対の車輪を連結するように配置されて車輪の中心に固定される車輪軸と、
車輪軸を軸支する支持部を備えるとともに、該支持部よりも上方にハンドルを備えるフレームと、
前記車輪軸の周面に固定されて、車輪軸とともに回転することにより粒状物を撹拌する撹拌翼を有する撹拌部を備えてなり、
前記撹拌翼が可撓性材料により成形されていることを特徴とする撹拌治具。
【請求項２】
請求項１に記載の撹拌治具において、
前記撹拌部が、車輪軸の外周面より突出するように基端を固定される軸部と、該軸部の先端に設置され、前記車輪軸と平行に延在する撹拌翼とを備えてなり、
該撹拌翼を前記作業面に投影したときに、前記撹拌翼の一部が前記車輪軸方向に重なる間隔で、複数の該撹拌部が車輪軸の軸線方向に千鳥状に固定されることを特徴とする撹拌治具。
【発明の詳細な説明】
【技術分野】
【０００１】
本発明は、作業面上に撒き出された粒状物を撹拌するための撹拌治具に関する。
【背景技術】
【０００２】
例えば、コンクリートやモルタルを製造するにあたり、セメントに対する水の比率はコンクリートやモルタルの強度および品質に大きな影響を及ぼすため、水の管理は特に重要となる。このため、コンクリートやモルタルの材料に用いる細骨材は、一定時間吸水させて湿潤状態とした後、表面乾燥飽水状態となるよう当該湿潤状態の細骨材に対して送風や撹拌を行い、表面水が残ることのないよう前処理を施すことが知られている。
【０００３】
これら細骨材を表面乾燥飽水状態とする方法として、ブルーシート上に細骨材を撒き出して天日干しする方法や、例えば特許文献１には、透水性を有するシート上に湿潤状態の細骨材Ｓを広げ、シートを介して細骨材Ｓの表面水を排水し乾燥させる方法が開示されている。
【先行技術文献】
【特許文献】
【０００４】
【特許文献１】特開２０１１−７４６５３号公報
【発明の概要】
【発明が解決しようとする課題】
【０００５】
しかし、上述するような方法では、シート上に撒き出した細骨材が均一な薄層をなしていない場合には、細骨材の深さ方向に乾燥度合いのムラが生じやすい。このため、層状に撒き出した細骨材をスコップ等により人力で撹拌し天地返しを行うが、その作業は煩雑であるだけでなく効率性に劣る。
【０００６】
本発明は、かかる課題に鑑みなされたものであって、その主な目的は、簡略な構成で効率よく層状に撒き出した粒状体を撹拌することの可能な撹拌治具を提供することである。
【課題を解決するための手段】
【０００７】
かかる目的を達成するため本発明の撹拌治具は、作業面上に撒き出された粒状物を撹拌する撹拌治具であって、離間して平行に配置される一対の車輪と、該一対の車輪を連結するように配置されて車輪の中心に固定される車輪軸と、車輪軸を軸支する支持部を備えるとともに、該支持部よりも上方にハンドルを備えるフレームと、前記車輪軸の周面に固定されて、車輪軸とともに回転することにより粒状物を撹拌する撹拌翼を有する撹拌部を備えてなり、前記撹拌翼が可撓性材料により成形されていることを特徴とする。
【０００８】
上記の撹拌治具によれば、作業面上に撒き出された粒状体の上を走行させることにより車輪軸の回転に伴って、撹拌翼が回転しながら前記粒状体を掬い上げる動作と掬い上げた粒状体を作業面上に落下させる動作を繰り返す。これにより、作業者はフレームを介して車輪軸に対して直交方向の外力を作用させるのみで、作業面上に撒き出された粒状体を撹拌することができるため、撹拌作業の効率性を大幅に向上することが可能となる。
【０００９】
また、撹拌翼が可撓性材料により成形されてなり、作業面に接すると作業面に倣って変形する。これにより、撒き出された粒状体を撹拌翼にて作業面からこそげとるように掬い上げることができるため、撒き出された粒状物を深さ方向全体にわたって均一に撹拌することが可能となる。さらに、作業面上にブルーシート等のシート材を敷設し、当該シート材上に粒状体を撒き出した場合にも、撹拌翼にてシート材を傷つけることなく撹拌作業を行うことが可能であり、汎用性が高い。
【００１０】
本発明の撹拌治具は、前記撹拌部が、車輪軸の外周面より突出するように基端を固定される軸部と、該軸部の先端に設置され、前記車輪軸と平行に延在する撹拌翼とを備えてなり、
該撹拌翼を前記作業面に投影したときに、前記撹拌翼の一部が前記車輪軸方向に重なる間隔で、複数の該撹拌部が車輪軸の軸線方向に千鳥状に固定されることを特徴とする。
【００１１】
上記の撹拌治具によれば、撹拌部にて粒状体を撹拌する際に、隣り合う撹拌部との間に隙間が生じないため、一対の車輪間に位置する粒状体をムラなく一様に撹拌することが可能となる。
【発明の効果】
【００１２】
本発明によれば、車輪軸に撹拌部を備えるのみの簡略な構成で効率よく層状に撒き出した細骨材を、深さ方向および幅方向にムラなく均一に撹拌するが可能となる。
【図面の簡単な説明】
【００１３】
【図１】撹拌治具の全体を示す図である。
【図２】撹拌治具の詳細を示す図である。
【図３】撹拌治具により粒状体を撹拌する様子を示す図である。
【発明を実施するための形態】
【００１４】
以下に、本発明の撹拌治具を図１〜図３を用いて説明する。
【００１５】
本発明の撹拌治具１は、作業面上に層状に撒き出した粒状体をいわゆる天地返しすることにより、全体を一様に撹拌するための治具である。本実施の形態では、コンクリートの材料に用いられる細骨材Ｓを湿潤状態から表面乾燥飽水状態まで乾燥させるべく、作業面としてブルーシート６を敷設した地面上に撒き出し、これを撹拌する場合を例にとり詳述する。
【００１６】
撹拌治具１は、図１（ａ）に示すように、一対の車輪２と、車輪２どうしを連結する車輪軸３と、撹拌軸３を軸支するフレーム４と、車輪軸３に固定される複数の撹拌部５とを備えている。
【００１７】
一対の車輪２は間隔を有して平行に配置されており、車輪２どうしは車輪軸３を介して連結されている。車輪軸２は、その両端部各々が車輪２の中心に固定されており、車輪２が回転することに伴って車輪軸３も回転する構成となっている。
【００１８】
これら車輪軸３は、略コの字状に成形されたフレーム４に軸支されている。フレーム４には、下端となるコの字状の開口部側における端部各々に軸支孔を備える支持部４１が設けられており、車輪軸３は支持部４１の軸支孔を挿通している。また、フレーム４の上端には、作業者が把持可能なハンドル４２が設けられている。
【００１９】
このような構成により、作業者がフレーム４のハンドル４２を把持して車輪軸３と直交する方向、つまり車輪２が回転した場合に移動する方向に向けて外力を作用させると、この外力がフレーム４を介して車輪軸３に伝達されて車輪２が回転移動し、撹拌治具１が走行する。
【００２０】
なお、一対の車輪２とこれを連結する車輪軸３の組み合わせは、撹拌治具１に対して１組でもよいが、例えば図１（ｂ）に示すように、２組設ける等その数量はいくつでもよい。
【００２１】
また、車輪軸３には図２（ａ）に示すように、撹拌部５が千鳥状に複数設置されており、軸部５１と撹拌翼５２を備えている。
【００２２】
軸部５１は基端が車輪軸３の外周面に固定されて、当該外周面から突出するように設置されている。なお、突出する方向は、車輪軸３の放射方向、接線方向もしくは車輪軸３の軸線に対して傾斜する方向等いずれでもよい。
【００２３】
撹拌翼５２は、軸部５１の先端に取り付けられるもので、車輪軸３と平行となる方向が長手方向端部５２ａ、直交する方向が短手方向端部５２ｂとなる形状に成形されており、見かけ上撹拌翼５２は車輪軸３と平行に延在している。
【００２４】
また、撹拌翼５２はシリコン等の可撓性を有する材料にて成形されるとともに、図２（ｂ）に示すように、長手方向端部５２ａの一方が先細りに形成され、中央部が凹部を有し、細骨材Ｓを保持可能なスプーン状に形成されている。なお、撹拌翼５２は必ずしもスプーン上の凹部を有しなくてもよく、細骨材Ｓを掬い上げたときに撹拌翼５２で細骨材Ｓを保持できるものであれば、その形状は平板状等いずれに形成されていてもよい。
【００２５】
さらに撹拌翼５２は、図２（ａ）に示すように、複数が車輪軸３の軸線方向に千鳥状に配置されている。そして、これらを地面上に投影した際に、撹拌翼５２どうしが車輪軸方向に重なり合うように配置されている。これにより、隣り合う撹拌翼５２どうしの間に隙間ができることがなく撹拌ムラが生じることがない。
【００２６】
上述する構成の撹拌治具１は、車輪２が回転移動することにより車輪軸３とともに撹拌部５が回転すると、図３（ａ）に示すように、撹拌翼５２の長手方向端部５２ａが細骨材Ｓに当接するが、長手方向端部５２ａは先細りに形成されているためスムーズに細骨材Ｓの深さ方向に貫入し、地面と当接する。
【００２７】
すると、撹拌翼５２は可撓性を有する材料にて成形されることにより、図３（ｂ）に示すように、地面に沿う形状に変形しながら回転し、細骨材Ｓを地面からこそげとるようにして掬い上げる。
【００２８】
したがって、細骨材Ｓが撒き出される地面は、必ずしも平面に均しておく必要はない。例えば、地表面が凹凸を有する場合であっても撹拌翼５２がその地表面の形状に倣って変形することとなる。このように、本発明の撹拌治具１は、作業面が平面でなくても適用することができるため、汎用性が高いものである。
【００２９】
そして、図３（ｃ）に示すように、そのまま車輪２の回転移動を継続することにより撹拌翼５２も回転し、掬い上げられた細骨材Ｓは落下する。一対の車輪２が回転し続けることにより上記の動作が繰り返されて、層状に撒き出された細骨材Ｓは、下層の細骨材Ｓと上層の細骨材Ｓが入れ替わるいわゆる天地返しが行われ、深さ方向に撹拌される。
【００３０】
このような撹拌治具１による細骨材Ｓの撹拌により、地面状に撒き出された湿潤状態の細骨材Ｓは、全体がまんべんなく天日にさらされることから、均一な表面乾燥飽水状態を得ることができるものである。
【００３１】
なお、湿潤状態の細骨材Ｓは、先にも述べたように地面上に直接撒き出されるのではなく、地面上にブルーシート等のシート材６を敷設しその上に撒き出される場合が多い。このような場合にも、先にも述べたように撹拌翼５２が可撓性を有する材料により成形されることから、ブルーシートに傷をつけることなく、ブルーシートからこそげとるようにして細骨材Ｓを掬い上げることができるものである。
【００３２】
上述する撹拌治具１によれば、作業者がフレーム４のハンドル４２を把持しながら撹拌治具１を押すもしくは引くことにより撹拌治具１を走行させるのみで、撹拌翼５２が細骨材を均一に撹拌するから、撹拌作業の効率を大幅に向上することが可能となる。
【００３３】
また、撹拌翼５２がシリコン等の可撓性を有する材料にて成形され、前記作業面に接すると該作業面に倣って変形し、粒状材を作業面からこそげとるようにして掬い上げる。これにより、撒き出された粒状物を深さ方向全体にわたって均一に撹拌することが可能となるだけでなく、作業面が平面でなくても適用することができるため、汎用性が高いものである。
【００３４】
本発明の撹拌治具１は、上記実施形態に限定されるものではなく、本発明の趣旨を逸脱しない範囲で種々の変更が可能であることはいうまでもない。例えば、肥料や家畜敷料等、乾燥作業を必要とする粒状体であれば、いずれにも適用することが可能である。
【符号の説明】
【００３５】
１      撹拌治具
２      車輪
３      車輪軸
４      フレーム
４１    支持部
４２    ハンドル
５      撹拌部
５１    軸部
５２    撹拌翼
５２ａ  長手方向端部
５２ｂ  短手方向端部
６    シート材
【図１】
2016135954.tif 000003
【図２】
2016135954.tif 000004
【図３】
2016135954.tif 000005